(57)【特許請求の範囲】
【請求項１】
複数のパケットデータユニット（ＰＤＵ）を構築するための方法であって、
複数のサービスデータユニット（ＳＤＵ）を受信し、記憶することと、
構築されるべき１つのＰＤＵの長さ値と制約値とにアクセスすることと、
無線リンク制御（ＲＬＣ）インスタンスのための利用可能なグラントを制約値と比較することと、
データ無線ベアラとシグナリング無線ベアラとのうちの選択された一方のための前記利用可能なグラントを比較することであって、前記制約値は、前記データ無線ベアラと前記シグナリング無線ベアラとのうちの前記選択された一方に適用され、他方には適用されない、前記利用可能なグラントを比較することと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
を備える方法。
【請求項２】
ネットワークから無線リソース制御シグナリングによって前記制約値を受信することをさらに備える、請求項１に記載の方法。
【請求項３】
指定されたプロビジョニングによって前記制約値を受信することをさらに備える、請求項１に記載の方法。
【請求項４】
前記残りの部分を前記制約値と比較することに基づいて、前記判断を随意に実施することをさらに備える、請求項１に記載の方法。
【請求項５】
最大許容パディングと最小許容セグメント化とを示す少なくとも１つの制約値にアクセスすることをさらに備える、請求項１に記載の方法。
【請求項６】
１つのＳＤＵが前記制約値未満であるセグメント化ペイロード長を有すると判断したことに応答して、前記ＰＤＵをパディングすることをさらに備える、請求項１に記載の方法。
【請求項７】
１つのＳＤＵがセグメント化ペイロード長を有すると判断したことに応答して、前記ＰＤＵをパディングすることをさらに備える、請求項１に記載の方法。
【請求項８】
前記利用可能なグラントが前記制約値以下であると判断したことに応答して、完全なＳＤＵのみまたは１つのＳＤＵの最後のセグメントを統合することをさらに備える、請求項１に記載の方法。
【請求項９】
データ無線ベアラとシグナリング無線ベアラとのうちの選択された一方に対してＲＬＣ  ＳＤＵセグメント化を実行し、他方には実行しないことをさらに備える、請求項１に記載の方法。
【請求項１０】
前記制約値は、複数の無線リンク制御（ＲＬＣ）エンティティに関係する、請求項１に記載の方法。
【請求項１１】
前記制約値は、無線ベアラベースに関係する、請求項１に記載の方法。
【請求項１２】
前記制約値は、ＲＬＣ  ＳＤＵのセグメント化部分に関係する、請求項１に記載の方法。
【請求項１３】
前記制約値は、ＲＬＣ  ＳＤＵのセグメント化部分と最大パディング値とに関係する、請求項１に記載の方法。
【請求項１４】
セグメント化またはパディングの長さを判断する前に下位レイヤヘッダオーバーヘッドを考慮することをさらに備える、請求項１に記載の方法。
【請求項１５】
複数のパケットデータユニット（ＰＤＵ）を構築するための方法であって、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
無線リンク制御（ＲＬＣ）インスタンスのための利用可能なグラントを制約値と比較することと、
前記利用可能なグラントが前記制約値以下であると判断したことに応答して、最大許容パディング制約に関係なく、前記利用可能なグラントに従ってセグメント化を実行することと、
を備える方法。
【請求項１６】
複数のパケットデータユニット（ＰＤＵ）を構築するための方法であって、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
無線リンク制御（ＲＬＣ）インスタンスのための利用可能なグラントを制約値と比較することと、
前記利用可能なグラントが少なくとも１つの完全なＳＤＵに適合する可能性がないと判断したことに応答して、最大許容パディング制約に関係なく、前記利用可能なグラントに従ってセグメント化を実行することと、
を備える方法。
【請求項１７】
複数のパケットデータユニット（ＰＤＵ）を構築するためのコンピュータプログラムであって、
コンピュータに、複数のサービスデータユニット（ＳＤＵ）を受信し、記憶させるためのコードの第１のセットと、
前記コンピュータに、構築されるべき１つのＰＤＵの長さ値と制約値とにアクセスさせるためのコードの第２のセットと、
前記コンピュータに、無線リンク制御（ＲＬＣ）インスタンスのための利用可能なグラントを制約値と比較させるためのコードの第３のセットと、
前記コンピュータに、データ無線ベアラとシグナリング無線ベアラとのうちの選択された一方のための前記利用可能なグラントを比較させるためのコードの第４のセットであって、前記制約値は、前記データ無線ベアラと前記シグナリング無線ベアラとのうちの前記選択された一方に適用され、他方には適用されない、第４のセットと、
前記コンピュータに、前記長さ値を超えることなしに、記憶された複数のＳＤＵを順番に統合させるためのコードの第５のセットと、
前記コンピュータに、前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断させるためのコードの第６のセットと、
を備えるコンピュータプログラム。
【請求項１８】
複数のパケットデータユニット（ＰＤＵ）を構築するための装置であって、
複数のサービスデータユニット（ＳＤＵ）を受信し、記憶するための手段と、
構築されるべき１つのＰＤＵの長さ値と制約値とにアクセスするための手段と、
無線リンク制御（ＲＬＣ）インスタンスのための利用可能なグラントを制約値と比較するための手段と、
データ無線ベアラとシグナリング無線ベアラとのうちの選択された一方のための前記利用可能なグラントを比較するための手段であって、前記制約値は、前記データ無線ベアラと前記シグナリング無線ベアラとのうちの前記選択された一方に適用され、他方には適用されない、前記利用可能なグラントを比較するための手段と、
前記長さ値を超えることなしに、記憶された複数のＳＤＵを順番に統合するための手段と、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断するための手段と、
を備える装置。
【請求項１９】
複数のパケットデータユニット（ＰＤＵ）を構築するための装置であって、
複数のサービスデータユニット（ＳＤＵ）を受信し、記憶するためのメモリと、
構築されるべき１つのＰＤＵの長さ値と制約値とにアクセスするためのコンピューティングプラットフォームと、
を備え、
前記コンピューティングプラットフォームは、さらに、無線リンク制御（ＲＬＣ）インスタンスのための利用可能なグラントを制約値と比較するためのものであり、
前記コンピューティングプラットフォームは、さらに、データ無線ベアラとシグナリング無線ベアラとのうちの選択された一方のための前記利用可能なグラントを比較するためのものであって、前記制約値は、前記データ無線ベアラと前記シグナリング無線ベアラとのうちの前記選択された一方に適用され、他方には適用されない、前記利用可能なグラントを比較するためのものであり、
前記コンピューティングプラットフォームは、さらに、前記長さ値を超えることなしに、記憶された複数のＳＤＵを順番に統合するためのものであり、
前記コンピューティングプラットフォームは、さらに、前記ＰＤＵの残りの部分を前記制約値と比較することに基づいて、前記長さ値に達するように、最後のＳＤＵをセグメント化することと、前記ＰＤＵをパディングすることと、のうちの一方を実行するためのものである、装置。
【請求項２０】
ネットワークから無線リソース制御シグナリングによって前記制約値を受信するための受信機をさらに備える、請求項１９に記載の装置。
【請求項２１】
指定されたプロビジョニングによって前記制約値を受信するためのコンピュータ可読記憶媒体をさらに備える、請求項１９に記載の装置。
【請求項２２】
前記コンピューティングプラットフォームは、さらに、前記残りの部分を前記制約値と比較することに基づいて、前記判断を随意に実施するためのものである、請求項１９に記載の装置。
【請求項２３】
前記コンピューティングプラットフォームは、さらに、最大許容パディングと最小許容セグメント化とを示す少なくとも１つの制約値にアクセスするためのものである、請求項１９に記載の装置。
【請求項２４】
前記コンピューティングプラットフォームは、さらに、１つのＳＤＵが前記制約値未満のセグメント化ペイロード長を有すると判断したことに応答して、前記ＰＤＵをパディングするためのものである、請求項１９に記載の装置。
【請求項２５】
前記コンピューティングプラットフォームは、さらに、１つのＳＤＵがセグメント化ペイロード長を有すると判断したことに応答して、前記ＰＤＵをパディングするためのものである、請求項１９に記載の装置。
【請求項２６】
前記コンピューティングプラットフォームは、さらに、前記利用可能なグラントが前記制約値以下であると判断したことに応答して、完全なＳＤＵのみまたは１つのＳＤＵの最後のセグメントを統合するためのものである、請求項１９に記載の装置。
【請求項２７】
前記コンピューティングプラットフォームは、さらに、データ無線ベアラとシグナリング無線ベアラとのうちの選択された一方に対してＲＬＣ  ＳＤＵセグメント化を実行し、他方には実行しないためのものである、請求項１９に記載の装置。
【請求項２８】
前記制約値は、ＲＬＣ  ＳＤＵのセグメント化部分に関係する、請求項１９に記載の装置。
【請求項２９】
前記制約値は、ＲＬＣ  ＳＤＵのセグメント化部分と最大パディング値とに関係する、請求項１９に記載の装置。
【請求項３０】
前記コンピューティングプラットフォームは、さらに、セグメント化またはパディングの長さを判断する前に下位レイヤヘッダオーバーヘッドを考慮するためのものである、請求項１９に記載の装置。
【請求項３１】
複数のパケットデータユニット（ＰＤＵ）を構築するための装置であって、
複数のサービスデータユニット（ＳＤＵ）を受信し、記憶するためのメモリと、
構築されるべき１つのＰＤＵの長さ値と制約値とにアクセスするためのコンピューティングプラットフォームと、
を備え、
前記コンピューティングプラットフォームは、さらに、前記長さ値を超えることなしに、記憶された複数のＳＤＵを順番に統合するためのものであり、
前記コンピューティングプラットフォームは、さらに、前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断するためのものであり、
前記コンピューティングプラットフォームは、さらに、無線リンク制御（ＲＬＣ）インスタンスのための利用可能なグラントを制約値と比較するためのものであり、
前記コンピューティングプラットフォームは、さらに、前記利用可能なグラントが前記制約値以下であると判断したことに応答して、最大許容パディング制約に関係なく、前記利用可能なグラントに従ってセグメント化を実行するためのものである、装置。
【請求項３２】
複数のパケットデータユニット（ＰＤＵ）を構築するための装置であって、
複数のサービスデータユニット（ＳＤＵ）を受信し、記憶するためのメモリと、
構築されるべき１つのＰＤＵの長さ値と制約値とにアクセスするためのコンピューティングプラットフォームと、
を備え、
前記コンピューティングプラットフォームは、さらに、前記長さ値を超えることなしに、記憶された複数のＳＤＵを順番に統合するためのものであり、
前記コンピューティングプラットフォームは、さらに、前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断するためのものであり、
前記コンピューティングプラットフォームは、さらに、無線リンク制御（ＲＬＣ）インスタンスのための利用可能なグラントを制約値と比較するためのものであり、
前記コンピューティングプラットフォームは、さらに、前記利用可能なグラントが少なくとも１つの完全なＳＤＵに適合する可能性がないと判断したことに応答して、最大許容パディング制約に関係なく、前記利用可能なグラントに従ってセグメント化を実行するためのものである、装置。
【請求項３３】
複数のパケットデータユニット（ＰＤＵ）を復号するための方法であって、
送信エンティティから１つのパケットデータユニット（ＰＤＵ）をワイヤレスに受信し、記憶することと、
送信エンティティの動作を予測することによって複数のサービスデータユニット（ＳＤＵ）のセグメント化とパディングとを限定的に復号することと、
を備え、
前記ＰＤＵが、前記送信エンティティにおいて、
複数のサービスデータユニット（ＳＤＵ）を受信し、記憶することと、
構築されるべき１つのＰＤＵの長さ値と制約値とにアクセスすることと、
無線リンク制御（ＲＬＣ）インスタンスのための利用可能なグラントを制約値と比較することと、
データ無線ベアラとシグナリング無線ベアラとのうちの選択された一方のための前記利用可能なグラントを比較することであって、前記制約値は、前記データ無線ベアラと前記シグナリング無線ベアラとのうちの前記選択された一方に適用され、他方には適用されない、前記利用可能なグラントを比較することと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、構築された、方法。
【請求項３４】
ネットワークから無線リソース制御シグナリングによって前記制約値をワイヤレスに送信することと、
指定されたプロビジョニングによって前記制約値を受信することと、
からなるグループのうちの選択された１つによって前記制約値を取得することをさらに備える、請求項３３に記載の方法。
【請求項３５】
前記残りの部分を前記制約値と比較することに基づいて、前記判断を随意に実施することをさらに備える、請求項３３に記載の方法。
【請求項３６】
前記制約値は、ＲＬＣ  ＳＤＵのセグメント化部分に関係する、請求項３３に記載の方法。
【請求項３７】
前記制約値は、ＲＬＣ  ＳＤＵのセグメント化部分と最大パディング値とに関係する、請求項３３に記載の方法。
【請求項３８】
セグメント化またはパディングの長さを判断する前に下位レイヤヘッダオーバーヘッドを考慮することをさらに備える、請求項３３に記載の方法。
【請求項３９】
複数のパケットデータユニット（ＰＤＵ）を構築するためのコンピュータプログラムであって、
コンピュータに、送信エンティティから１つのパケットデータユニット（ＰＤＵ）をワイヤレスに受信し、記憶させるためのコードの第１のセットと、
前記コンピュータに、送信エンティティの動作を予測することによって複数のサービスデータユニット（ＳＤＵ）のセグメント化とパディングとを限定的に復号させるためのコードの第２のセットと、
を備え、
前記ＰＤＵが、前記送信エンティティにおいて、
複数のサービスデータユニット（ＳＤＵ）を受信し、記憶することと、
構築されるべき１つのＰＤＵの長さ値と制約値とにアクセスすることと、
無線リンク制御（ＲＬＣ）インスタンスのための利用可能なグラントを制約値と比較することと、
データ無線ベアラとシグナリング無線ベアラとのうちの選択された一方のための前記利用可能なグラントを比較することであって、前記制約値は、前記データ無線ベアラと前記シグナリング無線ベアラとのうちの前記選択された一方に適用され、他方には適用されない、前記利用可能なグラントを比較することと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、構築された、
コンピュータプログラム。
【請求項４０】
複数のパケットデータユニット（ＰＤＵ）を構築するための装置であって、
送信エンティティから１つのパケットデータユニット（ＰＤＵ）をワイヤレスに受信し、記憶するための手段と、
送信エンティティの動作を予測することによって複数のサービスデータユニット（ＳＤＵ）のセグメント化とパディングとを限定的に復号するための手段と、
を備え、
前記ＰＤＵが、前記送信エンティティにおいて、
複数のサービスデータユニット（ＳＤＵ）を受信し、記憶することと、
構築されるべき１つのＰＤＵの長さ値と制約値とにアクセスすることと、
無線リンク制御（ＲＬＣ）インスタンスのための利用可能なグラントを制約値と比較することと、
データ無線ベアラとシグナリング無線ベアラとのうちの選択された一方のための前記利用可能なグラントを比較することであって、前記制約値は、前記データ無線ベアラと前記シグナリング無線ベアラとのうちの前記選択された一方に適用され、他方には適用されない、前記利用可能なグラントを比較することと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、構築された、装置。
【請求項４１】
複数のパケットデータユニット（ＰＤＵ）を復号するための装置であって、
送信エンティティから１つのパケットデータユニット（ＰＤＵ）をワイヤレスに受信するための受信機と、
前記ＰＤＵを記憶するためのメモリと、
送信エンティティの動作を予測することによって複数のサービスデータユニット（ＳＤＵ）のセグメント化とパディングとを限定的に復号するためのコンピューティングプラットフォームと、
を備え、
前記ＰＤＵが、前記送信エンティティにおいて、
複数のサービスデータユニット（ＳＤＵ）を受信し、記憶することと、
構築されるべき１つのＰＤＵの長さ値と制約値とにアクセスすることと、
無線リンク制御（ＲＬＣ）インスタンスのための利用可能なグラントを制約値と比較することと、
データ無線ベアラとシグナリング無線ベアラとのうちの選択された一方のための前記利用可能なグラントを比較することであって、前記制約値は、前記データ無線ベアラと前記シグナリング無線ベアラとのうちの前記選択された一方に適用され、他方には適用されない、前記利用可能なグラントを比較することと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、構築された、装置。
【請求項４２】
前記コンピューティングプラットフォームは、さらに、ネットワークから無線リソース制御シグナリングによって前記制約値をワイヤレスに送信するためのものである、請求項４１に記載の装置。
【請求項４３】
前記コンピューティングプラットフォームは、さらに、指定されたプロビジョニングによって前記制約値を受信するためのものである、請求項４１に記載の装置。
【請求項４４】
前記コンピューティングプラットフォームは、さらに、前記残りの部分を前記制約値と比較することに基づいて、前記判断を随意に実施するためのものである、請求項４１に記載の装置。
【請求項４５】
前記コンピューティングプラットフォームは、さらに、最大許容パディングと最小許容セグメント化とを示す少なくとも１つの制約値にアクセスするためのものである、請求項４１に記載の装置。
【発明の詳細な説明】
【技術分野】
【０００１】
米国特許法第１１９条に基づく優先権の主張
本特許出願は、本出願の譲受人に譲渡され、その全体が参照により本明細書に明白に組み込まれる、２００８年３月３１日に出願された「Mechanism and Apparatus for Minimizing Segmentation / Re-segmentation / Padding in LTE」と題する仮出願第６１／０４１，２０１号の優先権を主張する。
【０００２】
本明細書で説明される例示的で非限定的な態様は、一般にワイヤレス通信システム、方法、コンピュータプログラム製品およびデバイスに関し、より詳細には、無線リンク制御（ＲＬＣ）サービスデータユニット（ＳＤＵ）をセグメント化、再セグメント化およびパディングするための限定的（determinative）技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
ユニバーサル移動電話サービス（Universal Mobile Telecommunications System（ＵＭＴＳ））は第３世代（３Ｇ）携帯電話技術の１つである。ＵＭＴＳ地上無線アクセス網（UMTS Terrestrial Radio Access Network）、略してＵＴＲＡＮは、ＵＭＴＳコアネットワークを構成するノードＢ（Node B）と無線ネットワークコントローラ（Radio Network Controllers）との総称である。この通信ネットワークは、リアルタイム回線交換からＩＰベースパケット交換まで多くのトラフィックタイプを搬送することができる。ＵＴＲＡＮは、ＵＥ（ユーザ機器）とコアネットワークとの間の接続を可能にする。ＵＴＲＡＮは、ノードＢと呼ばれる基地局と無線ネットワークコントローラ（Radio Network Controllers（ＲＮＣ））と、を含む。ＲＮＣは、１つまたは複数のノードＢに制御機能を与える。典型的な実装形態は、複数のノードＢにサービスしている中央局に配置された別個のＲＮＣを有するが、ノードＢとＲＮＣは同じデバイスとすることができる。ノードＢとＲＮＣとが物理的に分離される必要はないということにもかかわらず、それらの間には、Ｉｕｂとして知られる論理インターフェースがある。ＲＮＣおよびその対応するノードＢは、無線ネットワークサブシステム（Radio Network Subsystem（ＲＮＳ））と呼ばれる。ＵＴＲＡＮには２つ以上のＲＮＳが存在する場合がある。
【０００６】
３ＧＰＰ  ＬＴＥ（ロングタームエボリューショ（Long Term Evolution））は、ＵＭＴＳ携帯電話規格を将来の要件に対処するように向上させるための第３世代パートナーシッププロジェクト（Third Generation Partnership Project（３ＧＰＰ））内のプロジェクトに付けられた名前である。目的は、効率性向上、コスト削減、サービス改善、新規のスペクトル機会（spectrum opportunity）の利用、および他のオープンスタンダードとの統合の改良を含む。ＬＴＥシステムは、Ｅｖｏｌｖｅｄ  ＵＴＲＡ（ＥＵＴＲＡ）およびＥｖｏｌｖｅｄ  ＵＴＲＡＮ（ＥＵＴＲＡＮ）規格シリーズに記載されている。
【０００７】
ＬＴＥの下での目的は、パケットデータユニット（ＰＤＵ）を構築するときの無線リンク制御（Radio Link Control（ＲＬＣ））ＳＤＵのセグメント化を低減することである。別の目的は、パディングを低減することであり、これは他の目的と緊張関係にある。セグメント化およびパディングにおける不特定のビヘイビアは、ＳＤＵのセグメント化またはパディングを予測不可能に含むＰＤＵの復号を複雑にし、効率的でなくする可能性がある。
【発明の概要】
【０００８】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示されるより詳細な説明の導入として、説明される特徴のいくつかの概念を簡略化された形態で提示することである。
【０００９】
１つまたは複数の態様およびその対応する開示に従って、ＳＤＵから構築されるＰＤＵのパディングを低減しながらＲＬＣ  ＳＤＵのセグメント化を最小限に抑える目的のバランスをとることに関して様々な態様が説明される。
【００１０】
一態様では、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、パケットデータユニット（ＰＤＵ）を構築するための方法が提供される。
【００１１】
別の態様では、パケットデータユニット（ＰＤＵ）を構築するための少なくとも１つのプロセッサが提供される。第１のモジュールは、サービスデータユニット（ＳＤＵ）を受信し、記憶する。第２のモジュールは、構築されるべきＰＤＵの長さ値と制約値とにアクセスする。第３のモジュールは、長さ値を超えることなしに、記憶されたＳＤＵを順番に統合する。第４のモジュールは、ＰＤＵの残りの部分を制約値と比較することに基づいて、長さ値に達するように、最後のＳＤＵをセグメント化することとＰＤＵをパディングすることとのうちの一方を実行することを判断する。
【００１２】
追加の態様では、パケットデータユニット（ＰＤＵ）を構築するためのコンピュータプログラム製品が提供される。コンピュータ可読記憶媒体は、コンピュータに、サービスデータユニット（ＳＤＵ）を受信し、記憶させるためのコードの第１のセットを備える。コードの第２のセットは、コンピュータに、構築されるべきＰＤＵの長さ値と制約値とにアクセスさせる。コードの第３のセットは、コンピュータに、長さ値を超えることなしに、記憶されたＳＤＵを順番に統合させる。コードの第４のセットは、コンピュータに、ＰＤＵの残りの部分を制約値と比較することに基づいて、長さ値に達するように、最後のＳＤＵをセグメント化することとＰＤＵをパディングすることとのうちの一方を実行することを判断させる。
【００１３】
別の追加の態様では、パケットデータユニット（ＰＤＵ）を構築するための装置が提供される。サービスデータユニット（ＳＤＵ）を受信し、記憶するための手段が提供される。構築されるべきＰＤＵの長さ値と制約値とにアクセスするための手段が提供される。長さ値を超えることなしに、記憶されたＳＤＵを順番に統合するための手段が提供される。ＰＤＵの残りの部分を制約値と比較することに基づいて、長さ値に達するように、最後のＳＤＵをセグメント化することとＰＤＵをパディングすることとのうちの一方を実行することを判断するための手段が提供される。
【００１４】
さらなる態様では、パケットデータユニット（ＰＤＵ）を構築するための装置が提供される。メモリは、サービスデータユニット（ＳＤＵ）を受けて、記憶する。コンピューティングプラットフォームは、構築されるべきＰＤＵの長さ値と制約値とにアクセスする。コンピューティングプラットフォームは、長さ値を超えることなしに、記憶されたＳＤＵを順番に統合する。コンピューティングプラットフォームは、ＰＤＵの残りの部分を制約値と比較することに基づいて、長さ値に達するように、最後のＳＤＵをセグメント化することとＰＤＵをパディングすることとのうちの一方を実行することを判断する。
【００１５】
さらなる一態様では、送信エンティティからパケットデータユニット（ＰＤＵ）をワイヤレスに受信し、記憶することによってパケットデータユニット（ＰＤＵ）を復号し、送信エンティティの動作を予測することによってサービスデータユニット（ＳＤＵ）のセグメント化とパディングとを限定的に復号するための方法が提供される。送信エンティティは、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、ＰＤＵを構築したことを知られる。
【００１６】
さらに別の態様では、パケットデータユニット（ＰＤＵ）を復号するための少なくとも１つのプロセッサが提供される。第１のモジュールは、送信エンティティからパケットデータユニット（ＰＤＵ）をワイヤレスに受信し、記憶する。第２のモジュールは、送信エンティティの動作を予測することによってサービスデータユニット（ＳＤＵ）のセグメント化とパディングとを限定的に復号する。送信エンティティは、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、ＰＤＵを構築したことを知られる。
【００１７】
さらなる追加の態様では、パケットデータユニット（ＰＤＵ）を復号するためのコンピュータプログラム製品が提供される。コンピュータ可読記憶媒体は、コンピュータに、送信エンティティからパケットデータユニット（ＰＤＵ）をワイヤレスに受信し、記憶させるためのコードの第１のセットを備える。コードの第２のセットは、コンピュータに、送信エンティティの動作を予測することによってサービスデータユニット（ＳＤＵ）のセグメント化とパディングとを限定的に復号させる。送信エンティティは、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することと、ＰＤＵをパディングすることとのうちの１つを実行することを判断することとによって、ＰＤＵを構築したことが知られている。
【００１８】
さらに別の追加の態様では、パケットデータユニット（ＰＤＵ）を復号するための装置が提供される。送信エンティティからパケットデータユニット（ＰＤＵ）をワイヤレスに受信し、記憶するための手段が設けられる。送信エンティティの動作を予測することによってサービスデータユニット（ＳＤＵ）のセグメント化とパディングとを限定的に復号するための手段が設けられる。送信エンティティは、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、ＰＤＵを構築したことを知られる。
【００１９】
またさらなる態様では、パケットデータユニット（ＰＤＵ）を復号するための装置が提供される。受信機は、送信エンティティからパケットデータユニット（ＰＤＵ）をワイヤレスに受信する。メモリは、ＰＤＵを記憶する。コンピューティングプラットフォームは、送信エンティティの動作を予測することによってサービスデータユニット（ＳＤＵ）のセグメント化とパディングとを限定的に復号する。送信エンティティは、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、ＰＤＵを構築したことを知られる。
【００２０】
上記および関連する目的を達成するために、１つまたは複数の態様は、以下で十分に説明され、特に特許請求の範囲で指摘される特徴を備える。以下の説明および添付の図面は、いくつかの例示的な態様が詳細に記載され、本態様の原理が使用され得る様々な方法のほんのいくつかを示すものである。他の利点および新規の特徴は、以下の詳細な説明を図面とともに検討すれば明らかになり、開示される態様は、すべてのそのような態様およびそれらの均等物を含むものとする。
【００２１】
本開示の特徴、性質、および利点は、全体を通じて同様の参照符号が同様のものを指す図面とともに、以下に記載される詳細な説明を読めばより明らかになろう。
【図面の簡単な説明】
【００２２】
【図１】図１は、送信エンティティが、パケットデータユニット（ＰＤＵ）を構築する際に、限定的でバランスのとれた手法で、無線リンク制御（ＲＬＣ）サブレイヤのサービスデータユニット（ＳＤＵ）のセグメント化またはパディングを実行する通信システムのブロック図を示す。
【図２】図２は、限定的セグメント化、再セグメント化およびパディングのための方法または動作シーケンスの流れ図を示す。
【図３】図３は、媒体アクセス制御（ＭＡＣ）開始ＲＬＣ−ＭＡＣ対話のタイミング図を示す。
【図４】図４は、パケットデータ収束プロトコル（Packet Data Convergence Protocol（ＰＤＣＰ））パケットデータユニット（ＰＤＵ）のデータ構造を示す。
【図５】図５は、セグメント化およびパディングを用いたＲＬＣ  ＰＤＵ構造のデータ構造を示す。
【図６】図６は、ダウンリンクのＲＬＣサブレイヤのための方法または動作シーケンスを示す。
【図７】図７は、要求された長さに適合させるためにセグメント化されるＲＬＣ  ＳＤＵの図を示す。
【図８】図８は、限定的セグメント化、再セグメント化およびパディングのための一態様による多元接続ワイヤレス通信システムの図を示す。
【図９】図９は、限定的セグメント化、再セグメント化およびパディングのための通信システムの概略ブロック図を示す。
【図１０】図１０は、限定的セグメント化、再セグメント化およびパディングのための基地局およびユーザ機器のブロック図を示す。
【図１１】図１１は、限定的セグメント化、再セグメント化およびパディングのための電気コンポーネントの論理グルーピングを備えるシステムのブロック図を示す。
【図１２】図１２は、限定的セグメント化、再セグメント化およびパディングのための電気コンポーネントの論理グルーピングを備えるシステムのブロック図を示す。
【図１３】図１３は、復号パケットデータユニット（ＰＤＵ）を構築するための装置のブロック図を示す。
【図１４】図１４は、復号パケットデータユニット（ＰＤＵ）を復号するための装置のブロック図を示す。
【発明を実施するための形態】
【００２３】
次に、図面を参照しながら様々な態様が説明される。以下の記述では、説明の目的で、１つまたは複数の態様の完全な理解を与えるために多数の具体的な詳細が記載される。ただし、様々な態様は、これらの具体的な詳細なしに実施され得ることは明白であり得る。他の例では、これらの態様の説明を容易にするために、よく知られている構造およびデバイスはブロック図の形態で示される。
【００２４】
最初に図１を参照すると、進化型基本ノード（ｅＮＢ）１０２として示される基地局の通信システム１００は、無線（ＯＴＡ）リンク１０４を介してユーザ機器（ＵＥ）１０６と通信する。例示的な態様では、ＵＥ１０６は、無線リンク制御（ＲＬＣ）サブレイヤサービスデータユニット（ＳＤＵ）からパケットデータユニット（ＰＤＵ）を構築する。特に、ＲＬＣ  ＳＤＵコンポーネント１０８は、最大パディング量パラメータおよび／または最小セグメント化サイズパラメータを適用する（ブロック１１６）ことによって、構築する際のＲＬＣ  ＳＤＵのセグメント化を低減する目的（ブロック１１２）と、ＰＤＵ中のパディングを低減する目的（ブロック１１４）とのバランスをとる、限定的ＲＬＣセグメント化、再セグメント化およびパディング方法または動作シーケンス（ブロック１１０）を使用する。さらに、セグメント化される長さの割合または部分として値が提示できる。
【００２５】
ｅＮＢ１０２は、ダウンリンク（ＤＬ）１２０上で、無線リソース制御セグメント化および／またはパディング値によってシグナリング（ブロック１１８）することができる。これらの値は、データ無線ベアラまたはシグナリング無線ベアラのＲＬＣインスタンスに固有とすることができる。代替的に、これらの値は、１２２で示されるように、強制的または随意の準拠のために事前にプロビジョニングされ得る。ｅＮＢ１０２は、ＵＥ１０６が、アップリンク（ＵＬ）１２８上でｅＮＢ１０２にワイヤレスに送信されるＰＤＵ１２６をどのようにセグメント化し、および／またはパディングするかを限定的に予測することができるように、方法または動作シーケンス１１０についての知識があるＲＬＣ  ＳＤＵコンポーネント１２４を有する。送信エンティティ（たとえば、ＵＥ１０６）は、ＳＤＵが所与のグラントに対してセグメント化される必要があるかどうかを結論する前に、すべての下位レイヤ（たとえば、ＲＬＣ／ＭＡＣ）ヘッダオーバーヘッドを考慮し得ることが、本開示の利益とともに諒解されるべきである。
【００２６】
図２で示される例示的な態様では、方法または動作シーケンス２００は、有利には、送信無線リンク制御（ＲＬＣ）エンティティ（たとえば、ユーザ機器（ＵＥ））が、パディングを最小限に抑えながら、ＲＬＣサービスデータユニット（Service Data Unit（ＳＤＵ））のセグメント化を低減することを可能にする。これらの２つの目的は、互いに緊張関係にある。セグメント化を回避することは、１バイトから１４９９バイト（ＩＰフレーム（IP Frame）サイズ）の範囲に及ぶパディングを生じる可能性がある。したがって、特に限定的方式で、処理効率の増大のためにこれらの２つの目的のバランスをとり、受信ＲＬＣエンティティ（たとえば、ｅＮＢ）が、パディングによる無線（ＯＴＡ）リソースの過度の損失なしにＲＬＣ  ＳＤＵをより容易に再統合することを可能にするための機会が存在する。特に、本発明の利点は、いつパディングし、いつセグメント化すべきかをどのように判断するかについて明確に予測可能な送信側ビヘイビアである。それによって、送信側は不必要なセグメント化を回避し、パディングの最大数は限定的となる。
【００２７】
２０２で示される第１の態様では、構成可能な無線リソース制御（Radio Resource Control（ＲＲＣ））パラメータは、ＲＬＣ  ＳＤＵのセグメント化および／または再送信されたＲＬＣパケットデータユニット（Packet Data Unit（ＰＤＵ））の再セグメント化を回避するためにＵＥによってパディングされることができる最大バイト数（「ｍａｘ＿ｐａｄｄｉｎｇ＿ａｌｌｏｗｅｄ」）を示す。たとえば、最大バイト数は、４０、８０、１６０バイトなどに選択されることができる。この値はまた、値４０、８０、１６０などのプロビジョニングまたは選択された最小セグメント化サイズ（「ｍｉｎｉｍｕｍ＿ｓｅｇｍｅｎｔａｔｉｏｎ＿ｓｉｚｅ」）に基づいて判断されることができる。
【００２８】
２０４で示される第２の態様では、送信エンティティ（たとえば、ＵＥ）は、不所望なセグメント化を回避するためにＵＥがパディング／セグメント化することができる、最大バイト数（ｍａｘ＿ｐａｄｄｉｎｇ＿ａｌｌｏｗｅｄ）またはバイト単位の最小セグメント化サイズ（ｍｉｎｉｍｕｍ＿ｓｅｇｍｅｎｔａｔｉｏｎ＿ｓｉｚｅ）を示す定数をプロビジョニングされ得る。いくつかの例では、構成可能なＲＲＣパラメータは、このプロビジョニングされるパラメータをオーバーライドすることができる。この定数は、ＵＥが、ＳＤＵサイズに合致しないグラントに対してＩＰフレームの不必要なセグメント化を行わないようにすることができる。異なるまたは同じパラメータが、シグナリングおよびデータ無線ベアラ（ＲＢ）に課され得る。一態様では、この定数は、セグメント化されるべきＲＬＣ  ＳＤＵまたはすでにセグメント化されたＳＤＵの割合に関しても指定されることができる。割合とｍａｘ＿ｐａｄｄｉｎｇ＿ａｌｌｏｗｅｄパラメータとの組合せは、ＲＬＣ  ＳＤＵ（またはセグメント化ＲＬＣ  ＰＤＵ）をセグメント化すべきかどうかを判断するために使用されることができる。
【００２９】
２０６において示される第３の態様では、送信エンティティが、ＲＬＣインスタンスのためのグラントがより小さい場合、セグメント化を回避するためにパラメータに従うことを選択し得るときなど、これらのプロビジョニングされた値は、非強制とすることができる。いくつかの例では、この随意実装形態は、通信リンクの一方または両側（たとえば、ネットワークとＵＥ）に適用可能とすることができる。たとえば、ネットワークは、そのようなパラメータに準拠するようにシグナリングまたはプロビジョニングされるＵＥと同一または同様である方法を採用することができる。
【００３０】
構成可能なＲＲＣパラメータ（ブロック２０２）、プロビジョニングされた（１つまたは複数の）定数（ブロック２０４）、または随意実装形態（２０６）に基づいて、次いで、ＲＬＣインスタンスのための利用可能なグラントがｍａｘ＿ｐａｄｄｉｎｇ＿ａｌｌｏｗｅｄパラメータよりも大きいかどうかの判断がブロック２０８において行われる。そうであれば、ＵＥは、セグメント化ペイロード長がｍａｘ＿ｐａｄｄｉｎｇ＿ａｌｌｏｗｅｄバイト未満であるＲＬＣ  ＳＤＵのセグメント化を回避すべきである（ブロック２１０）。このパラメータは、すべてのＲＬＣエンティティ用であるか（ブロック２１２）または無線ベアラ（ＲＢ）ベースであることができ（ブロック２１４）、データＲＢのみに有効であるか（ブロック２１６）、またはシグナリングＲＢとデータＲＢとに異なる値を必要とすることができる（ブロック２１８）。そうではなく、ブロック２０８においてＲＬＣインスタンスのための利用可能なグラントがｍａｘ＿ｐａｄｄｉｎｇ＿ａｌｌｏｗｅｄパラメータ未満の場合、２２０で示される第１の任意選択の実装形態において、ＵＥは、ｍａｘ＿ｐａｄｄｉｎｇ＿ａｌｌｏｗｅｄパラメータまたは同様のパラメータを考慮に入れることなしにグラントに従ってセグメント化する（ブロック２２２）。第１の任意選択の実装形態２２０の代替としてまたはそれに加えて実行される、２２４で示される第２の任意選択の実装形態では、ＵＥは、グラントがｍａｘ＿ｐａｄｄｉｎｇ＿ａｌｌｏｗｅｄパラメータよりも小さいときはいつでも、完全なＳＤＵまたはＲＬＣ  ＳＤＵ／ＰＤＵの最後のセグメントのみを送信する（ブロック２２６）。そのような使用の例は、ＶｏＩＰトラフィック、制御ＰＤＵ、またはセグメント化ＲＬＣ  ＳＤＵ／ＰＤＵの最後のセグメント、などであり得る。実装形態２２０、２２４の代替としてまたはそれに加えて実行される、２２８で示される第３の任意選択の実装形態では、ＵＥは、データＲＢ上のＲＬＣ  ＳＤＵではなくシグナリング無線ベアラ（Signaling Radio Bearer（ＳＲＢ））上のＲＬＣ  ＳＤＵをセグメント化するか、またはその逆をセグメント化するように構成されることができる（ブロック２３０）。上記によって、多すぎるセグメント化、さらに、上述の任意選択２２０、２２４、２２８を回避する、ＵＥからの予想される最大パディングに対するネットワーク利得制御は、非常に小さいチャンクへのＳＤＵのセグメント化を回避し、同時にパディングを最小限に抑えるために送信エンティティ（たとえば、ＵＥ）を助けることができる。
【００３１】
図３には、Ｅ−ＵＴＲＡ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ）の例示的な実装形態のＬａｙｅｒ２として、限定的セグメント化、再セグメント化およびパディングから利益を得るＭＡＣ開始ＲＬＣ／ＭＡＣ対話動作３００が示されている。ＰＤＣＰ（パケットデータ収束プロトコル（Packet Data Convergence Protocol））サブレイヤでは、論理チャネルごとに１つのＰＤＣＰオブジェクトがある。ＭＡＣ（媒体アクセス制御）サブレイヤは、ＵＥノード上のＵＥごとに１つのＭＡＣオブジェクトと、ｅＮＢ上のすべてのＵＥに対して１つのＭＡＣオブジェクトと、を有するのに対し、ＲＬＣサブレイヤは、ＵＥとｅＮＢ（進化型基本ノード）ノードの両方においてＵＥごとに１つのＲＬＣオブジェクトを有する。
【００３２】
無線リンク制御（ＲＬＣ）に関して、各ＲＬＣオブジェクトは、同時に１６個までのアップリンクおよびダウンリンクストリームを処理することができる。ＲＬＣサブレイヤは、下位レイヤによって要求されたサイズに従って各ＰＤＵを構築するために動的ＰＤＵサイズを使用する。各ＰＤＵは、複数のＳＤＵを有することができ、ＳＤＵのセグメント化およびパディングがサポートされる。ＲＬＣサブレイヤによって上位レイヤに与えられる主要なサービスは、（ａ）上位レイヤＰＤＵの順番配信、および（ｂ）ＵＭ（確認なしモード）をサポートする上位レイヤＰＤＵの転送である。ＲＬＣサブレイヤによって下位レイヤに与えられる主要なサービスは、動的ＰＤＵサイズである。主要な機能は、（ａ）重複検出、（ｂ）パディングの必要のない動的ＰＤＵサイズでのセグメント化、および（ｃ）同じ無線ベアラのためのＳＤＵの連結である。
【００３３】
着信データは、処理され、レイヤからレイヤに直線的にハンドオーバされる。ＲＬＣとＰＤＣＰサブレイヤとの間の対話は、データを送信するときと同様に働く。ＭＡＣサブレイヤ３０４は、各ＴＴＬ（送信時間間隔）にあらかじめ定義された回数、データをＰＨＹサブレイヤに配信するだけなので、ＲＬＣ３０２とＭＡＣサブレイヤ３０４との間のインターフェースはより複雑になる。
【００３４】
ＲＬＣサブレイヤ３０２とＭＡＣサブレイヤ３０４との間で、すべてのＲＬＣ  ＳＤＵ（サービスデータユニット）３０６は、３０８で示されるように、ＲＬＣサブレイヤ３０２において待ち行列に入れられ、ＴＴＩタイマ３１０によってトリガされるように示される、ＲＬＣ  ＳＤＵ３０６からＰＤＵ（パケットデータユニット）を構築すべきときをＭＡＣ３０４に決定させる。ＭＡＣ３０４は、送信することがスケジュールされているとき、ＰＤＵ３１２をＲＬＣサブレイヤ３０２に要求する。ＲＬＣ３０２は、待ち行列３０８上にすべてのＳＤＵ３０６を有するので、要求３１２中でＭＡＣサブレイヤ３０４によって指定された定義されたサイズまで、できるだけ多くのデータを取り出し、そのデータからＰＤＵ３１４を構築する。各ＰＤＵ３１４を受信した後、トランスポートブロック（ＴＢ）３１８中により多くの空間が残されている場合、ＭＡＣサブレイヤ３０４は、より多くのＰＤＵ３１６を要求するかまたはパディングを追加することを決定することができる。次いで、３２０で示されるように、ＴＢが送信される。
【００３５】
図４には、パケットデータ収束プロトコル（ＰＤＣＰ）ＰＤＵ３３０が示されている。ＰＤＣＰサブレイヤは、ＲＬＣサブレイヤとノードオブジェクトとの間でデータを転送する。ノードオブジェクトからデータを受信するとき、パケットをＲＬＣサブレイヤに配信する前に、ＰＤＣＰヘッダ３３２が２バイト長のシーケンス番号からなるＰＤＣＰペイロード３３４（ＰＤＣＰ  ＳＤＵ）に追加される。データがＲＬＣサブレイヤからＰＤＣＰサブレイヤに配信されるとき、パケットがノードオブジェクトに配信される前に、ＰＤＣＰヘッダは除去される。
【００３６】
図５には、ＲＬＣ  ＰＤＵ構造３４０が示されている。ＲＬＣヘッダ３４２は、シーケンス番号（Sequence Number）３４４と、完全／部分（Complete/Partial（ＣＰ））フィールド３４６と、拡張ビット（Extension bit（Ｅ））３４８と、からなる。各ＲＬＣ  ＰＤＵ３４０中のＳＤＵの数に応じて、より多くのヘッダフィールドが続くことがある。１つのＳＤＵでは、これらの余分のフィールドは省略できるが、あらゆる追加のＳＤＵでは、１つの長さインジケータ（Length Indicator（ＬＩ））３５０と１つのＥビット３５２とが追加される。シーケンス番号３４４は、重複検出および上位レイヤへの順番配信のために使用されることができる。完全／部分フィールド３４６は、第２のビットが、最後のＳＤＵ３５８の末尾がセグメント化されるかどうかを示すのに対して、第１のＳＤＵ３５４の先頭がセグメント化されるかどうかを示す第１のビットを有することによって、セグメント化および連結をサポートする。Ｅビット３４８は、より多くのヘッダフィールドが続くか、またはＰＤＵの残部がＳＤＵからなるか、を示す。より多くのヘッダフィールドがある場合、第１のＳＤＵがどこで終了するか、および次のＳＤＵがどこで開始するかを示すためにＬＩ３５０が続く。ＬＩフィールド３５０の後には、別のＥビット３５２が続く。最後のＳＤＵ３５８を除いて、各ＲＬＣ  ＰＤＵ３４０中のあらゆるＳＤＵ３５６に対して１つのＬＩフィールド３５０と１つのＥビット３５２とがあるだろう。最後のＳＤＵ３５８の長さは、ＲＬＣ  ＰＤＵ３４０の長さから、すべての存在するＬＩ３５０の和を減算することによって計算されることができる。必要な場合、ＲＬＣペイロード３６２をバイト整列させるために、パディング３６０がＲＬＣヘッダ３４２に追加される。
【００３７】
図６には、ＲＬＣ  ＰＤＵの構築および送信のためのプロセス３７０が示されている。ＰＤＣＰサブレイヤ３７４からＳＤＵ３７２を受信するとき、ＲＬＣサブレイヤ３７６は、受信された順序でＳＤＵ３７２をＳＤＵリスト３７８に記憶する。ＲＬＣサブレイヤ３７６中の各チャネルは、それ自体のＳＤＵリスト３７８を有し、互いに無関係に働く。ＭＡＣサブレイヤ３８０がＲＬＣチャネル３７６にデータを要求するまで、ＳＤＵ３７２は、ＲＬＣサブレイヤ３７６中にバッファされる。ＭＡＣサブレイヤ３８０は、ＭＡＣサブレイヤ３８０に送信されることができるチャネルおよびＲＬＣ  ＰＤＵの最大サイズをＲＬＣサブレイヤ３７６に伝える、３８２で示されるようにデータを要求する。特定のＲＬＣチャネルが、要求されたサイズよりも少ないデータをバッファ３７８中に有する場合、ＲＬＣチャネルのＰＤＵ構成コンポーネント３８４は、特定のチャネルに属するすべてのＳＤＵ３７２を同じＰＤＵ３８６に入れ、ＲＬＣヘッダを追加し、ＲＬＣ  ＰＤＵをＭＡＣサブレイヤに配信する。特定のＲＬＣチャネルが十分なデータを有する場合、必要ならばセグメント化を使用して、要求されたサイズのＰＤＵが構築される。
【００３８】
図７には、ＲＬＣヘッダ４０４およびＲＬＣペイロード４０６の動的にサイズ決定されたＲＬＣ  ＰＤＵ４０２を構築するのにパディングが必要でないときのセグメント化のためのデータ構造４００が示されている。ＲＬＣサブレイヤは、ＭＡＣサブレイヤから要求されたＲＬＣ  ＰＤＵ長を受信したとき、ＲＬＣ  ＳＤＵ  Ｎ４０８の終端セグメントを送信しなければならないことがあり、完全なＲＬＣ  ＳＤＵ  Ｎ＋１、Ｎ＋２  ４１０、４１２を送信することが可能であることがあり、要求された長さに準拠するためにＰＤＵ４０２中の最後のＳＤＵ４１４をセグメント化しなければならないことがある。最後のＳＤＵが完全に収まるのでなければ、要求されたサイズを満たすために、最後のＳＤＵがセグメント化されるか、またはパディングが適宜に追加されるだろう。
【００３９】
受信側（たとえば、ｅＮＢ）では、ＲＬＣサブレイヤがＭＡＣサブレイヤからＲＬＣ  ＰＤＵを受信したとき、ＰＤＣＰサブレイヤへのＳＤＵの順番配信を保証し、セグメント化ＳＤＵを正しく再構築するために、順番検査が実行される。受信されたＲＬＣ  ＰＤＵが予想されたＲＬＣ  ＰＤＵである場合、ＲＬＣ  ＰＤＵの処理および配信が実行される。他の場合、ＲＬＣ  ＰＤＵが待ち行列に入れられる前に、重複検出が実行される。ＲＬＣ  ＰＤＵは、その前のすべての予想されたＲＬＣ  ＰＤＵが受信されたときに、待ち行列から配信される。各ＲＬＣ  ＰＤＵは、短い時間期間の間、待ち行列に記憶される。ＲＬＣ  ＰＤＵがある寿命に達したとき、タイムアウトが発生し、予想されたＲＬＣ  ＰＤＵは失われたと考えられて、待機している（１つまたは複数の）ＲＬＣ  ＰＤＵが待ち行列から配信される。
【００４０】
ワイヤレス通信システムが、ボイス、データなど、様々なタイプの通信コンテンツを提供するために広く展開されていることが諒解されるべきである。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システムを含む。
【００４１】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力、または多入力多出力（ＭＩＭＯ）システムを介して確立され得る。
【００４２】
ＭＩＭＯシステムは、データ送信のために、複数（ＮＴ）個の送信アンテナと複数（ＮＲ）個の受信アンテナとを使用する。ＮＴ個の送信アンテナとＮＲ個の受信アンテナとによって形成されるＭＩＭＯチャネルは、空間チャネルと呼ばれることもあるＮＳ個の独立チャネルに分解されることができ、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用される場合には、ＭＩＭＯシステムは、改善されたパフォーマンス（たとえば、より高いスループットおよび／またはより大きい信頼性）を与えることができる。
【００４３】
ＭＩＭＯシステムは、時分割複信（ＴＤＤ）および周波数分割複信（ＦＤＤ）システムをサポートする。ＴＤＤシステムでは、順方向および逆方向リンク伝送が同一周波数領域上で行われるので、相反定理が逆方向リンクチャネルからの順方向リンクチャネルの推定を可能にする。これは、複数のアンテナがアクセスポイントで利用可能なとき、アクセスポイントが順方向リンク上で送信ビームフォーミング利得を取り出すことを可能にする。
【００４４】
図８を参照すると、一態様による多元接続ワイヤレス通信システムが示されている。アクセスポイント４５０（ＡＰ）は、複数のアンテナグループを含み、あるグループは４５４と４５６とを含み、別のグループは４５８と４６０とを含み、追加のグループは４６２と４６４とを含む。図８では、アンテナグループごとに２つのアンテナのみが示されているが、アンテナグループごとにより多いまたはより少ないアンテナが利用され得る。アクセス端末（ＡＴ）４６６は、アンテナ４５４および４５６と通信中であり、ここで、アンテナ４５４および４５６は、順方向リンク４７０上でアクセス端末４６６に情報を送信し、逆方向リンク４６８上でアクセス端末４６６から情報を受信する。アクセス端末４７２は、アンテナ４５６および４５８と通信中であり、ここで、アンテナ４５６および４５８は、順方向リンク４７６上でアクセス端末４７２に情報を送信し、逆方向リンク４７４上でアクセス端末４７２から情報を受信する。ＦＤＤシステムでは、通信リンク４６８、４７０、４７４および４７６は、通信のための異なる周波数を使用し得る。たとえば、順方向リンク４７０は、逆方向リンク４６８によって使用される周波数とは異なる周波数を使用し得る。アンテナの各グループ、および／またはアンテナが通信するために設計されたエリアは、しばしば、アクセスポイント４５０のセクタと呼ばれる。本態様では、アンテナグループはそれぞれ、アクセスポイント４５０によってカバーされるエリアのセクタ内で、アクセス端末４６６、４７２に通信するように設計される。
【００４５】
順方向リンク４７０および４７６上の通信では、アクセスポイント４５０の送信アンテナは、異なるアクセス端末４６６および４７２に対して順方向リンクの信号対ノイズ比を改善するためにビームフォーミングを利用する。また、そのカバレージ中にランダムに分散されたアクセス端末に送信するためにビームフォーミングを使用するアクセスポイントは、アクセスポイントが単一のアンテナを介してすべてのそのアクセス端末に送信するよりも、隣接セル中のアクセス端末への干渉を小さくさせる。
【００４６】
アクセスポイント４５０は、端末との通信に使用される固定局とすることができ、アクセスポイント、ノードＢ、または何らかの他の用語で呼ばれることもある。アクセス端末４６６、４７２は、ユーザ機器（ＵＥ）、ワイヤレス通信デバイス、端末、アクセス端末または何らかの他の用語で呼ばれることもある。
【００４７】
図９は、ＭＩＭＯシステム５００における（アクセスポイントとしても知られる）送信機システム５１０および（アクセス端末としても知られる）受信機システム５５０の態様のブロック図である。送信機システム５１０では、いくつかのデータストリームのトラフィックデータがデータソース５１２から送信（ＴＸ）データプロセッサ５１４に供給される。
【００４８】
一態様では、各データストリームは、それぞれの送信アンテナを介して送信される。ＴＸデータプロセッサ５１４は、符号化データを供給するために、そのデータストリーム用に選択された特定のコーディング方式に基づいて、データストリームごとにトラフィックデータをフォーマットし、符号化し、インターリーブする。
【００４９】
各データストリームの符号化データは、ＯＦＤＭ技法を使用してパイロットデータと多重化され得る。パイロットデータは、典型的には、知られている方法で処理され、チャネル応答を推定するために受信機システムにおいて使用され得る、知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＰＳＫ、Ｍ−ＰＳＫ、またはＭ−ＱＡＭ）に基づいて変調（すなわち、シンボルマッピング）される。各データストリームのデータレート、符号化、および変調は、プロセッサ５３０によって実行される命令によって決定され得る。
【００５０】
次いで、すべてのデータストリームの変調シンボルは、さらに（たとえば、ＯＦＤＭの場合）その変調シンボルを処理し得るＴＸ  ＭＩＭＯプロセッサ５２０に供給される。次いで、ＴＸ  ＭＩＭＯプロセッサ５２０は、ＮＴ個の変調シンボルストリームをＮＴ個の送信機（ＴＭＴＲ）５２２ａ〜５２２ｔに供給する。いくつかの実装形態では、ＴＸ  ＭＩＭＯプロセッサ５２０は、データストリームのシンボルと、シンボルが送信されているアンテナとにビームフォーミング重みを適用する。
【００５１】
各送信機５２２は、１つまたは複数のアナログ信号を供給するために、それぞれのシンボルストリームを受信し、処理し、さらに、ＭＩＭＯチャネルを介して送信するのに適した変調信号を与えるために、それらのアナログ信号を調整（たとえば、増幅、フィルタ処理、およびアップコンバート）する。次いで、送信機５２２ａ〜５２２ｔからのＮＴ個の変調信号は、それぞれ、ＮＴ個のアンテナ５２４ａ〜５２４ｔから送信される。
【００５２】
受信機システム５５０において、上記送信された変調信号は、ＮＲ個のアンテナ５５２ａ〜５５２ｒによって受信され、各アンテナ５５２からの受信信号は、それぞれの受信機（ＲＣＶＲ）５５４ａ〜５５４ｒに供給される。各受信機５５４は、それぞれの受信信号を調整（たとえば、フィルタ処理、増幅、およびダウンコンバート）し、サンプルを供給するために調整された信号をデジタル化し、対応する「受信」シンボルストリームを供給するためにさらにそれらのサンプルを処理する。
【００５３】
次いで、ＲＸデータプロセッサ５６０は、ＮＴ個の「検出」シンボルストリームを供給するために、特定の受信機処理技法に基づいてＮＲ個の受信機５５４からＮＲ個の受信シンボルストリームを受信し、処理する。次いで、ＲＸデータプロセッサ５６０は、データストリームに対するトラフィックデータを回復するために、各検出シンボルストリームを復調し、デインタリーブし、復号すする。ＲＸデータプロセッサ５６０による処理は、送信機システム５１０におけるＴＸ  ＭＩＭＯプロセッサ５２０およびＴＸデータプロセッサ５１４によって実行される処理と相補的なものである。
【００５４】
プロセッサ５７０は、どのプリコーディング行列（以下で論じる）を使用すべきかを定期的に判断する。プロセッサ５７０は、行列インデックス部とランク値（rank value）部とを備える逆方向リンクメッセージを作成する。
【００５５】
逆方向リンクメッセージは、通信リンクおよび／または受信データストリームに関する様々なタイプの情報を備え得る。次いで、逆方向リンクメッセージは、データソース５３６からいくつかのデータストリームのトラフィックデータをも受信するＴＸデータプロセッサ５３８によって処理され、変調器５８０によって変調され、送信機５５４ａ〜５５４ｒによって調整され、送信機システム５１０に戻される。
【００５６】
送信機システム５１０において、受信機システム５５０からの変調信号は、アンテナ５２４によって受信され、受信機５２２によって調整され、復調器５４０によって復調され、受信機システム５５０によって送信された逆方向リンクメッセージを抽出するためにＲＸデータプロセッサ５４２によって処理される。次いで、プロセッサ５３０は、ビームフォーミング重みを決定するためにどのプリコーディング行列を使用すべきかを決定し、次いで、抽出されたメッセージを処理する。
【００５７】
一態様では、論理チャネルは、制御チャネル（Control Channels）とトラフィックチャネル（Traffic Channels）とに分類される。論理制御チャネル（Logical Control Channels）は、システム制御情報をブロードキャストするためのＤＬチャネルであるブロードキャスト制御チャネル（Broadcast Control Channel（ＢＣＣＨ））と、ページング情報を転送するＤＬチャネルであるページング制御チャネル（Paging Control Channel（ＰＣＣＨ））と、１つまたは複数のＭＴＣＨについてのマルチメディアブロードキャストおよびマルチキャストサービス（Multimedia Broadcast and Multicast Service（ＭＢＭＳ））のスケジューリングおよび制御情報を送信するために使用されるポイントツーマルチポイントＤＬチャネルであるマルチキャスト制御チャネル（Multicast Control Channel（ＭＣＣＨ））と、を備える。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（Dedicated Control Channel（ＤＣＣＨ））は、専用制御情報を送信するポイントツーポイント（Point-to-point）双方向チャネルであり、ＲＲＣ接続を有するＵＥによって使用される。態様では、論理トラフィックチャネル（Logical Traffic Channels）は、ユーザ情報を転送するための１つのＵＥに専用のポイントツーポイント双方向チャネルである専用トラフィックチャネル（Dedicated Traffic Channel（ＤＴＣＨ））と、さらに、トラフィックデータを送信するためのポイントツーマルチポイントＤＬチャネルであるマルチキャストトラフィックチャネル（Multicast Traffic Channel（ＭＴＣＨ））と、を備える。
【００５８】
一態様では、トランスポートチャネル（Transport Channels）は、ＤＬとＵＬとに分類される。ＤＬトランスポートチャネルは、ブロードキャストチャネル（Broadcast Channel（ＢＣＨ））と、ダウンリンク共有データチャネル（Downlink Shared Data Channel（ＤＬ−ＳＤＣＨ））と、ＵＥ節電（ＤＲＸサイクルがネットワークによってＵＥに示される）をサポートするためのページングチャネル（Paging Channel（ＰＣＨ））と、を備え、これらのチャネルは、セル全体にわたってブロードキャストされ、他の制御／トラフィックチャネル用に使用されることができるＰＨＹリソースにマッピングされる。ＵＬトランスポートチャネルは、ランダムアクセスチャネル（Random Access Channel（ＲＡＣＨ））、要求チャネル（Request Channel（ＲＥＱＣＨ））、アップリンク共有データチャネル（Uplink Shared Data Channel（ＵＬ−ＳＤＣＨ））、および複数のＰＨＹチャネル、を備える。ＰＨＹチャネルは、ＤＬチャネル（DL channels）とＵＬチャネル（UL channels）とのセットを備える。
【００５９】
ＤＬ  ＰＨＹチャネルは、共通パイロットチャネル（Common Pilot Channel（ＣＰＩＣＨ））、同期チャネル（Synchronization Channel（ＳＣＨ））、共通制御チャネル（Common Control Channel（ＣＣＣＨ））、共有ＤＬ制御チャネル（Shared DL Control Channel（ＳＤＣＣＨ））、マルチキャスト制御チャネル（ＭＣＣＨ）、共有ＵＬ割当てチャネル（Shared UL Assignment Channel（ＳＵＡＣＨ））、肯定応答チャネル（Acknowledgement Channel（ＡＣＫＣＨ））、ＤＬ物理共有データチャネル（DL Physical Shared Data Channel（ＤＬ−ＰＳＤＣＨ））、ＵＬ電力制御チャネル（UL Power Control Channel（ＵＰＣＣＨ））、ページングインジケータチャネル（Paging Indicator Channel（ＰＩＣＨ））、負荷インジケータチャネル（Load Indicator Channel（ＬＩＣＨ））、を備え、ＵＬ  ＰＨＹチャネルは、物理ランダムアクセスチャネル（Physical Random Access Channel（ＰＲＡＣＨ））、チャネル品質インジケータチャネル（Channel Quality Indicator Channel（ＣＱＩＣＨ））、肯定応答チャネル（ＡＣＫＣＨ）、アンテナサブセットインジケータチャネル（Antenna Subset Indicator Channel（ＡＳＩＣＨ））、共有要求チャネル（Shared Request Channel（ＳＲＥＱＣＨ））、ＵＬ物理共有データチャネル｛UL Physical Shared Data Channel（ＵＬ−ＰＳＤＣＨ））、ブロードバンドパイロットチャネル（Broadband Pilot Channel（ＢＰＩＣＨ））、を備える。
【００６０】
本文書では、以下の略語を適用する。
【００６１】
３ＧＰＰ          第３世代パートナーシッププロジェクト
ＡＩＳ            自動識別システム（Automatic Identification System）
ＡＭ              確認応答モード（Acknowledged Mode）
ＡＭＤ            確認応答モードデータ（Acknowledged Mode Data）
ＡＲＱ            自動再送要求（Automatic Repeat Request）
ＡＳ              アクセス層（Access Stratum）
ＢＣＣＨ          ブロードキャスト制御チャネル
ＢＣＨ            ブロードキャストチャネル
ＢＬＥＲ          ブロック誤り率（Block Error Rate）
Ｃ−              制御−（Control-）
ＣＣＣＨ          共通制御チャネル
ＣＣＨ            制御チャネル（Control CHannel）
ＣＣＴｒＣＨ      符号化複合トランスポートチャネル（Coded Composite Transport Channel）
ＣＤＩ            チャネル方向情報（Channel Direction Information）
Ｃ−ＲＮＴＩ      セル無線ネットワーク一時識別情報（Cell Radio Network Temporary Identity）
ＣＰ              巡回プレフィックス（Cyclic Prefix）
ＣＲＣ            巡回冗長検査（Cyclic Redundancy Check）
ＣＴＣＨ          共通トラフィックチャネル（Common Traffic CHannel）
ＤＣＣＨ          専用制御チャネル
ＤＣＨ            専用チャネル（Dedicated CHannel）
ＤＬ              ダウンリンク（DownLink）
ＤＬ−ＳＣＨ      ダウンリンク共有チャネル（Downlink Shared CHannel）
ＤＳＣＨ          ダウンリンク共有チャネル（Downlink Shared CHannel）
ＤＴＣＨ          専用トラフィックチャネル
ｅＮＢ            進化型基本ノード（evolved Base Node）
Ｅ−ＵＴＲＡＮ    ユニバーサル移動電話サービス地上無線アクセス網（Evolved Universal Mobile Telecommunications System Terrestrial Radio Access Network）
ＦＡＣＨ          順方向リンクアクセスチャネル（Forward link Access CHannel）
ＦＤＤ            周波数分割複信（Frequency Division Duplex）
ＦＳＴＤ          周波数切替え送信ダイバーシティ（Frequency Switching Transmit Diversity）
ＦＴＳＴＤ        周波数時間切替え送信ダイバーシティ（Frequency Time Switching Transmit Diversity）
ＨＡＲＱ          ハイブリッド自動再送要求（Hybrid Automatic-Repeat-Request）
ＨＦＮ            ハイパーフレーム番号（Hyper Frame Number）
ｉ．ｉ．ｄ．      独立同分布（independent and identically distributed）
Ｌ１              Ｌａｙｅｒ１（物理レイヤ）
Ｌ２              Ｌａｙｅｒ２（データリンクレイヤ）
Ｌ３              Ｌａｙｅｒ３（ネットワークレイヤ）
ＬＩ              長さインジケータ
ＬＳＢ            最下位ビット（Least Significant Bit）
ＬＴＥ            ロングタームエボリューショ（Long Term Evolution）
ＭＡＣ            媒体アクセス制御（Medium Access Control）
ＭＢＭＳ          マルチメディアブロードキャストマルチキャストサービス（Multimedia Broadcast Multicast Service）
ＭＢＳＦＮ        マルチキャストブロードキャスト単一周波数ネットワーク（Multicast Broadcast Single Frequency Network）
ＭＣＣＨ          ＭＢＭＳポイントツーマルチポイント制御チャネル（MBMS point-to-multipoint Control Channel）
ＭＣＥ            ＭＢＭＳ調整エンティティ（MBMS Coordinating Entity）
ＭＣＨ            マルチキャストチャネル（Multicast CHannel）
ＭＩＭＯ          多入力多出力（Multiple Input Multiple Output）
ＭＭＥ            モビリティ管理エンティティ（Mobility Management Entity）
ＭＲＷ            移動受信ウィンドウ（Move Receiving Window）
ＭＳＢ            最上位ビット（Most Significant Bit）
ＭＳＣＨ          ＭＢＭＳポイントツーマルチポイントスケジューリングチャネル（MBMS point-to-multipoint Scheduling CHannel）
ＭＴＣＨ          ＭＢＭＳポイントツーマルチポイントトラフィックチャネル（MBMS point-to-multipoint Traffic CHannel）
ＮＡＳ            非アクセス層（Non-Access Stratum）
ＯＦＤＭ          直交周波数分割多重（Orthogonal Frequency Division Multiplex）
ＰＢＣＨ          物理ブロードキャストチャネル（Physical Broadcast CHannel）
ＰＣＣＨ          ページング制御チャネル（Paging Control CHannel）
ＰＣＨ            ページングチャネル（Paging CHannel）
ＰＤＣＣＨ        物理ダウンリンク制御チャネル（physical downlink control channel）
ＰＤＳＣＨ        物理ダウンリンク共有チャネル（physical downlink shared channel）
ＰＤＵ パケットデータユニット（Packet Data Unit）
ＰＦＳＴＤ        プリコード周波数切替え送信ダイバーシティ（Precoded Frequency Switching Transmit Diversity）
ＰＨＩＣＨ        物理ＨＡＲＱインジケータチャネル（Physical HARQ Indicator CHannel）
ＰＨＹ            物理レイヤ（PHYsical layer）
ＰｈｙＣＨ        物理チャネル（Physical CHannels）
ＰＳＣ            一次同期チャネル（Primary Synchronization Channel）
ＰＵＳＣＨ        物理アップリンク共有チャネル（Physical Uplink Shared Channel）
ＰＵＣＣＨ        物理アップリンク制御チャネル（Physical Uplink Control Channel）
ＰＶＳ            プリコーディングベクトルスイッチ（Precoding Vector Switch）
ＱｏＳ            サービス品質（Quality of Service）
ＲＡＣＨ          ランダムアクセスチャネル
ＲＡＮ            無線アクセスネットワーク（Radio Access Network）
ＲＬＣ            無線リンク制御
ＲＲＣ            無線リソース制御
ＲＳ              受信信号（Received Signal）
ＲＸ              受信（Receive）
ＳＣＨ            同期チャネル
ＳＡＰ            サービスアクセスポイント（Service Access Point）
ＳＦＢＣ          空間周波数ブロックコード（Space-Frequency Block-Code）
ＳＳＣ            二次同期チャネル（Secondary Synchronization Channel）
ＳＤＵ            サービスデータユニット
ＳＨＣＣＨ        共有チャネル制御チャネル（SHared channel Control CHannel）
ＳＮ              シーケンス番号（Sequence Number）
ＳＵＦＩ          スーパーフィールド（SUper FIeld）
ＴＣＨ            トラフィックチャネル（Traffic CHannel）
ＴＤＤ            時分割複信（Time Division Duplex）
ＴＦＩ            トランスポートフォーマットインジケータ（Transport Format Indicator）
ＴＭ              トランスペアレントモード（Transparent Mode）
ＴＭＤ            トランスペアレントモードデータ（Transparent Mode Data）
ＴＴＩ            送信時間間隔（Transmission Time Interval）
ＴＸ              送信（Transmit）
Ｕ−              ユーザ−（User-）
ＵＥ              ユーザ機器（User Equipment）
ＵＬ              アップリンク（UpLink）
ＵＭ              確認なしモード（Unacknowledged Mode）
ＵＭＢ            Ｕｌｔｒａ  Ｍｏｂｉｌｅ  Ｂｒｏａｄｂａｎｄ
ＵＭＤ            確認なしモードデータ（Unacknowledged Mode Data）
ＵＭＴＳ          ユニバーサル移動電話サービス（Universal Mobile Telecommunications System）
ＵＴＲＡ          ＵＭＴＳ地上無線アクセス（UMTS Terrestrial Radio Access）
ＵＴＲＡＮ        ＵＭＴＳ地上無線アクセス網（UMTS Terrestrial Radio Access Network）
ＶＴＳＴＤ        仮想時間切替え送信ダイバーシティ（Virtual Time Switching Transmit Diversity）
ＷＣＤＭＡ（登録商標）        広帯域符号分割多元接続（Wideband Code Division Multiple Access）
ＷＷＡＮ          ワイヤレスワイドエリアネットワーク（Wireless Wide Area Network）
図１０では、進化型基本ノード（ｅＮＢ）６００として示されるサービング無線アクセスネットワーク（ＲＡＮ）は、コンピュータにパケットデータユニット（ＰＤＵ）を復号させるためのコードのセットなどの手段を与えるコンピューティングプラットフォーム６０２を有する。特に、コンピューティングプラットフォーム６０２は、（１つまたは複数の）プロセッサ６２０によって実行される複数のモジュール６０６〜６１０を記憶するコンピュータ可読記憶媒体（たとえば、メモリ）６０４を含む。プロセッサ６２０によって制御される変調器６２２は、送信機６２４による変調のためにダウンリンク信号を準備し、ダウンリンク信号は（１つまたは複数の）アンテナ６２６によって発される。受信機６２８は、復調器６３０によって復調され、復号のためにプロセッサ６２０に与えられるアップリンク信号を（１つまたは複数の）アンテナ６２６から受信する。特に、送信エンティティからパケットデータユニット（ＰＤＵ）をワイヤレスに受信し、記憶するための手段（たとえば、モジュール、コードのセット）６０６が設けられる。送信エンティティの動作を予測することによってサービスデータユニット（ＳＤＵ）のセグメント化とパディングとを限定的に復号するための手段（たとえば、モジュール、コードのセット）６０８が設けられる。モデル６１０は、送信エンティティがＰＤＵをどのように構築するかの知識を与える。
【００６２】
図１０を引き続き参照すると、ユーザ機器（ＵＥ）６５０として示される移動局は、コンピュータにＰＤＵを構築させるためのコードのセットなどの手段を与えるコンピューティングプラットフォーム６５２を有する。特に、コンピューティングプラットフォーム６５２は、（１つまたは複数の）プロセッサ６７０によって実行される複数のモジュール６５６〜６６２を記憶するコンピュータ可読記憶媒体（たとえば、メモリ）６５４を含む。プロセッサ６７０によって制御される変調器６７２は、送信機６７４による変調のためにアップリンク信号を準備し、アップリンク信号は、６７７で示されるように（１つまたは複数の）アンテナ６７６によってｅＮＢ６００に発される。受信機６７８は、（１つまたは複数の）アンテナ６７６から、復調器６８０によって復調され、復号のためにプロセッサ６７０に与えられる、ｅＮＢ６００からのダウンリンク信号を受信する。特に、サービスデータユニット（ＳＤＵ）を受信し、記憶するための手段（たとえば、モジュール、コードのセット）６５６が設けられる。構築されるべきＰＤＵの長さ値と制約値とにアクセスするための手段（たとえば、モジュール、コードのセット）６５８が設けられる。長さ値を超えることなしに、記憶されたＳＤＵを順番に統合するための手段（たとえば、モジュール、コードのセット）６６０が設けられる。ＰＤＵの残りの部分を制約値と比較することに基づいて、長さ値に達するように、最後のＳＤＵをセグメント化することと、ＰＤＵをパディングすることと、のうちの一方を実行することを判断するための手段（たとえば、モジュール、コードのセット）６６２が設けられる。
【００６３】
図１２を参照すると、ＰＤＵを構築することを可能にするシステム８００が示されている。たとえば、システム８００は、少なくとも部分的にユーザ機器（ＵＥ）内に常駐することができる。システム８００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム８００は、連携して動作することができる電気コンポーネントの論理グルーピング８０２を含む。たとえば、論理グルーピング８０２は、サービスデータユニット（ＳＤＵ）を受信し、記憶するための電気コンポーネント８０４を含むことができる。さらに、論理グルーピング８０２は、構築されるべきＰＤＵの長さ値と制約値とにアクセスするための電気コンポーネント８０６を含むことができる。さらに、論理グルーピング８０２は、長さ値を超えることなしに、記憶されたＳＤＵを順番に統合するための電気コンポーネント８０８を含むことができる。さらに、論理グルーピング８０２は、ＰＤＵの残りの部分を制約値と比較することに基づいて、長さ値に達するように、最後のＳＤＵをセグメント化することと、ＰＤＵをパディングすることと、のうちの一方を実行することを判断するための電気コンポーネント８１０を含むことができる。さらに、システム８００は、電気コンポーネント８０４および８０６に関連する機能を実行するための命令を保持するメモリ８１２を含むことができる。メモリ８１２の外部にあるものとして図示されているが、１つまたは複数の電気コンポーネント８０４、８０６および８０８は、メモリ８１２の内部に存在することができることを理解されたい。
【００６４】
図１１を参照すると、測定ギャップの使用を割り当て、有効にすることを可能にするシステム７００が示されている。たとえば、システム７００は、少なくとも部分的に基地局内に常駐することができる。システム７００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム７００は、連携して動作することができる電気コンポーネントの論理グルーピング７０２を含む。たとえば、論理グルーピング７０２は、送信エンティティからパケットデータユニット（ＰＤＵ）をワイヤレスに受信し、記憶するための電気コンポーネント７０４を含むことができる。さらに、論理グルーピング７０２は、送信エンティティの動作を予測することによってサービスデータユニット（ＳＤＵ）のセグメント化とパディングとを限定的に復号するための電気コンポーネント７０６を含むことができる。さらに、論理グルーピング７０２は、送信エンティティがＰＤＵをどのように構築したかの知識のためのモデルを含むための電気コンポーネント７０８を含むことができる。さらに、システム７００は、電気的コンポーネント７０４、７０６および７０８に関連する機能を実行するための命令を保持するメモリ７１２を含むことができる。メモリ７１２の外部にあるものとして図示されているが、１つまたは複数の電気コンポーネント７０４、７０６および７０８は、メモリ８１２の内部に存在することができることを理解されたい。
【００６５】
図１４には、パケットデータユニット（ＰＤＵ）を構築するための装置１００２が示されている。サービスデータユニット（ＳＤＵ）を受信し、記憶するための手段１００４が設けられる。構築されるべきＰＤＵの長さ値と制約値とにアクセスするための手段１００６が設けられる。長さ値を超えることなしに、記憶されたＳＤＵを順番に統合するための手段１００８が設けられる。ＰＤＵの残りの部分を制約値と比較することに基づいて、長さ値に達するように、最後のＳＤＵをセグメント化することと、ＰＤＵをパディングすることと、のうちの一方を実行することを判断するための手段１０１０が設けられる。
【００６６】
図１３には、パケットデータユニット（ＰＤＵ）を復号するための装置９０２が示されている。送信エンティティからパケットデータユニット（ＰＤＵ）をワイヤレスに受信し、記憶するための手段９０４が設けられる。送信エンティティの動作を予測することによってサービスデータユニット（ＳＤＵ）のセグメント化とパディングとを限定的に復号するための手段９０６が設けられる。送信エンティティが、サービスデータユニット（ＳＤＵ）を受信し、記憶することと、構築されるべきＰＤＵの長さ値と制約値とにアクセスすることと、長さ値を超えることなしに、記憶されたＳＤＵを順番に統合することと、ＰＤＵの残りの部分を制約値と比較することに基づいて、長さ値に達するように、最後のＳＤＵをセグメント化することとＰＤＵをパディングすることとのうちの一方を実行することを判断することと、によって、どのようにＰＤＵを構築したと知られているかについての知識のための手段９０８が設けられる。
【００６７】
以上の説明は、様々な態様の例を含む。もちろん、様々な態様について説明する目的で、コンポーネントまたは方法のあらゆる考えられる組合せについて説明することは不可能であるが、多数のさらなる組合せおよび置換が可能であることを、当業者なら認識できよう。したがって、本明細書は、添付の特許請求の範囲の趣旨および範囲内に入るすべてのそのような改変形態、変更形態、および変形形態を包含するものとする。
【００６８】
特に、上記のコンポーネント、デバイス、回路、システムなどによって実行される様々な機能に関して、そのようなコンポーネントを説明するために用いられた用語（「手段（means）」への参照を含む）は、特に指示のない限り、開示された構造に構造的に均等ではないが、本明細書で示された例示的な態様における機能を実行する、説明されたコンポーネントの特定の機能（たとえば、機能上の均等物）を実行する任意のコンポーネントに対応するものとする。この点について、様々な態様は、システム、ならびに様々な方法の行為および／またはイベントを実行するためのコンピュータ実行可能命令を有するコンピュータ可読媒体を含むことも認識されよう。
【００６９】
さらに、特定の特徴がいくつかの実装形態のうちの１つに関してのみ開示されたが、所与または特定の適用例にとって所望され、有利なように、そのような特徴は他の実装形態の１つまたは複数の他の特徴と組み合わせられ得る。「含む（include）」および「含む（including）」という用語およびそれらの変形が、発明を実施するための形態または特許請求の範囲のいずれかで使用される限り、これらの用語は、「備える（comprising）」という用語と同様に包括的なものとする。さらに、発明を実施するための形態または特許請求の範囲のいずれかで使用される「または（or）」という用語は、「非排他的なまたは（non-exclusive or）」を意味するものとする。
【００７０】
さらに、諒解されるように、開示されたシステムおよび方法の様々な部分は、人工知能、機械学習、または知識ベースもしくはルールベースのコンポーネント、下位コンポーネント、プロセス、手段、方法、または機構（たとえば、サポートベクターマシン、ニューラルネットワーク、エキスパートシステム、ベイズの信念ネットワーク、ファジィ論理、データ融合エンジン、クラシファイヤなど）を含むか、またはそれらからなり得る。そのようなコンポーネントは、特に、システムおよび方法の部分をより適応的ならびに効率的で知的にするために、それによって実行されるいくつかの機構またはプロセスを自動化することができる。限定ではなく例として、進化型ＲＡＮ（たとえば、アクセスポイント、ｅノードＢ）は、ロバストなまたは強化された検査フィールドがいつ使用されるかを推測または予測することができる。
【００７１】
本出願で使用される「コンポーネント」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、コンポーネントは、プロセッサ上で実行されるプロセス、プロセッサ、オブジェクト、実行可能ファイル、実行スレッド、プログラム、および／またはコンピュータであり得るが、これらに限定されない。例として、サーバ上で実行されるアプリケーションと、そのサーバの両方をコンポーネントとすることができる。１つまたは複数のコンポーネントがプロセスおよび／または実行スレッド内に常駐することができ、１つのコンポーネントは１つのコンピュータ上に配置され、および／または２つ以上のコンピュータ間に分散され得る。
【００７２】
「例示的」という単語は、本明細書では、例、事例、または例示の働きをすることを意味するために使用される。「例示的」として本明細書で説明されるいかなる態様または設計も、必ずしも他の態様または設計よりも好ましいまたは有利なものと解釈されるべきではない。
【００７３】
さらに、標準的なプログラミングおよび／またはエンジニアリング技法を使用して、開示される態様を実装するようにコンピュータを制御するためのソフトウェア、ファームウェア、ハードウェア、またはそれらの任意の組合せを生成する方法、装置、または製造品として１つまたは複数のバージョンが実装され得る。本明細書で使用される「製造品」（または代替的に「コンピュータプログラム製品」）という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多目的ディスク（ＤＶＤ）．．．）、スマートカード、およびフラッシュメモリデバイス（たとえば、カード、スティック）を含むことができるが、これらに限定されない。さらに、コンピュータ可読電子データを搬送するために、電子メールを送信および受信する際またはインターネットもしくはローカルエリアネットワーク（ＬＡＮ）などのネットワークにアクセスする際に使用される搬送波などの搬送波が使用できることが諒解されるべきである。もちろん、当業者は、開示される態様の範囲から逸脱することなく、この構成に対して多数の改変が行われ得ることを認識するであろう。
【００７４】
様々な態様は、いくつかのコンポーネントやモジュールなどを含み得るシステムに関して提示される。様々なシステムは、追加のコンポーネントやモジュールなどを含んでもよく、および／または各図に関連して論じられるコンポーネントやモジュールなどのすべてを含まなくてもよいことを理解および諒解されたい。これらの手法の組合せも使用され得る。本明細書で開示される様々な態様は、タッチスクリーンディスプレイ技術および／またはマウスおよびキーボードタイプインターフェースを利用するデバイスを含む、電気デバイス上で実行できる。そのようなデバイスの例は、コンピュータ（デスクトップおよびモバイル）、スマートフォン、携帯情報端末（ＰＤＡ）、および有線とワイヤレスの両方の他の電子デバイスを含む。
【００７５】
上記で説明された例示的なシステムに鑑みて、開示された主題に従って実装され得る方法が、いくつかの流れ図を参照しながら説明された。説明を簡単にするために、方法が一連のブロックとして図示および説明されたが、いくつかのブロックは本明細書で図示および説明されたブロックとは異なる順序で、および／または他のブロックと同時に、行うことができるので、請求される主題はブロックの順序によって限定されないことを理解および諒解されたい。さらに、本明細書に記載の方法を実装するために、図示されたすべてのブロックが必要とされるわけではないことがある。さらに、本明細書で開示された方法は、そのような方法をコンピュータに移送および転送することを可能にするために製造品に記憶されることが可能であることがさらに諒解されるべきである。本明細書で使用される製造品という用語は、任意のコンピュータ可読デバイス、キャリア、または媒体からアクセス可能なコンピュータプログラムを包含するものとする。
【００７６】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることが諒解されるべきである。したがって、必要な限り、本明細書で明示的に説明された開示は、参照により本明細書に組み込まれる任意の競合する資料に取って代わる。参照により本明細書に組み込まれると言われるが、本明細書で説明された既存の定義、記述、または他の開示資料と競合する、いかなる資料またはその部分も、その組み込まれる資料と既存の開示資料との間に競合が生じない限り、組み込まれる。
以下に、本願出願の当初の特許請求の範囲に記載された発明を付記する。
（１）  複数のパケットデータユニット（ＰＤＵ）を構築するための方法であって、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
を備える方法。
（２）  ネットワークから無線リソース制御シグナリングによって前記制約値を受信することをさらに備える、（１）に記載の方法。
（３）  指定されたプロビジョニングによって前記制約値を受信することをさらに備える、（１）に記載の方法。
（４）  前記残りの部分を前記制約値と比較することに基づいて、前記判断を随意に実施することをさらに備える、（１）に記載の方法。
（５）  最大許容パディングと最小許容セグメント化とを示す少なくとも１つの制約値にアクセスすることをさらに備える、（１）に記載の方法。
（６）  無線リンク制御（ＲＬＣ）インスタンスのための利用可能なグラントを制約値と比較することをさらに備える、（１）に記載の方法。
（７）  １つのＳＤＵが前記制約値未満であるセグメント化ペイロード長を有すると判断したことに応答して、前記ＰＤＵをパディングすることをさらに備える、（６）に記載の方法。
（８）  １つのＳＤＵがセグメント化ペイロード長を有すると判断したことに応答して、前記ＰＤＵをパディングすることをさらに備える、（６）に記載の方法。
（９）  データ無線ベアラとシグナリング無線ベアラとのうちの選択された一方のための利用可能なグラントを比較することをさらに備え、前記制約値は、データ無線ベアラとシグナリング無線ベアラとのうちの前記選択された一方に適用され、他方には適用されない、（６）に記載の方法。
（１０）  前記利用可能なグラントが前記制約値以下であると判断したことに応答して、最大許容パディング制約に関係なく、前記利用可能なグラントに従ってセグメント化を実行することをさらに備える、（６）に記載の方法。
（１１）  前記利用可能なグラントが少なくとも１つの完全なＳＤＵに適合する可能性がないと判断したことに応答して、最大許容パディング制約に関係なく、前記利用可能なグラントに従ってセグメント化を実行することをさらに備える、（６）に記載の方法。
（１２）  前記利用可能なグラントが前記制約値以下であると判断したことに応答して、完全なＳＤＵのみまたは１つのＳＤＵの最後のセグメントを統合することをさらに備える、（６）に記載の方法。
（１３）  データ無線ベアラとシグナリング無線ベアラとのうちの選択された一方に対してＲＬＣ ＳＤＵセグメント化を実行し、他方には実行しないことをさらに備える、（６）に記載の方法。
（１４）  前記制約値は、複数の無線リンク制御（ＲＬＣ）エンティティに関係する、（６）に記載の方法。
（１５）  前記制約値は、無線ベアラベースに関係する、（６）に記載の方法。
（１６）  前記制約値は、ＲＬＣ  ＳＤＵのセグメント化部分に関係する、（１）に記載の方法。
（１７）  前記制約値は、ＲＬＣ  ＳＤＵのセグメント化部分と最大パディング値とに関係する、（１）に記載の方法。
（１８）  セグメント化またはパディングの長さを判断する前に下位レイヤヘッダオーバーヘッドを考慮することをさらに備える、（１）に記載の方法。
（１９）  複数のパケットデータユニット（ＰＤＵ）を構築するためのコンピュータプログラム製品であって、
コンピュータに、複数のサービスデータユニット（ＳＤＵ）を受信し、記憶させるためのコードの第１のセットと、
前記コンピュータに、構築されるべき１つのＰＤＵの長さ値と制約値とにアクセスさせるためのコードの第２のセットと、
前記コンピュータに、前記長さ値を超えることなしに、記憶された複数のＳＤＵを順番に統合させるためのコードの第３のセットと、
前記コンピュータに、前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断させるためのコードの第４のセットと、
を備えるコンピュータ可読記憶媒体、
を備えるコンピュータプログラム製品。
（２０）  複数のパケットデータユニット（ＰＤＵ）を構築するための装置であって、
複数のサービスデータユニット（ＳＤＵ）を受信し、記憶するための手段と、
構築されるべき１つのＰＤＵの長さ値と制約値とにアクセスするための手段と、
前記長さ値を超えることなしに、記憶された複数のＳＤＵを順番に統合するための手段と、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断するための手段と、
を備える装置。
（２１）  複数のパケットデータユニット（ＰＤＵ）を構築するための装置であって、
複数のサービスデータユニット（ＳＤＵ）を受信し、記憶するためのメモリと、
構築されるべき１つのＰＤＵの長さ値と制約値とにアクセスするためのコンピューティングプラットフォームと、
を備え、
前記コンピューティングプラットフォームは、さらに、前記長さ値を超えることなしに、記憶された複数のＳＤＵを順番に統合するためのものであり、
前記コンピューティングプラットフォームは、さらに、前記ＰＤＵの残りの部分を前記制約値と比較することに基づいて、前記長さ値に達するように、最後のＳＤＵをセグメント化することと、前記ＰＤＵをパディングすることと、のうちの一方を実行するためのものである、装置。
（２２）  ネットワークから無線リソース制御シグナリングによって前記制約値を受信するための受信機をさらに備える、（２１）に記載の装置。
（２３）  指定されたプロビジョニングによって前記制約値を受信するためのコンピュータ可読記憶媒体をさらに備える、（２１）に記載の装置。
（２４）  前記コンピューティングプラットフォームは、さらに、前記残りの部分を前記制約値と比較することに基づいて、前記判断を随意に実施するためのものである、（２１）に記載の装置。
（２５）  前記コンピューティングプラットフォームは、さらに、最大許容パディングと最小許容セグメント化とを示す少なくとも１つの制約値にアクセスするためのものである、（２１）に記載の装置。
（２６）  前記コンピューティングプラットフォームは、さらに、無線リンク制御（ＲＬＣ）インスタンスのための利用可能なグラントを制約値と比較するためのものである、（２１）に記載の装置。
（２７）  前記コンピューティングプラットフォームは、さらに、１つのＳＤＵが前記制約値未満のセグメント化ペイロード長を有すると判断したことに応答して、前記ＰＤＵをパディングするためのものである、（２６）に記載の装置。
（２８）  前記コンピューティングプラットフォームは、さらに、１つのＳＤＵがセグメント化ペイロード長を有すると判断したことに応答して、前記ＰＤＵをパディングするためのものである、（２６）に記載の装置。
（２９）  前記コンピューティングプラットフォームは、さらに、データ無線ベアラとシグナリング無線ベアラとのうちの選択された一方のための利用可能なグラントを比較するためのものであり、前記制約値は、データ無線ベアラとシグナリング無線ベアラとのうちの前記選択された一方に適用され、他方には適用されない、（２６）に記載の装置。
（３０）  前記コンピューティングプラットフォームは、さらに、前記利用可能なグラントが前記制約値以下であると判断したことに応答して、最大許容パディング制約に関係なく、前記利用可能なグラントに従ってセグメント化を実行するためのものである、（２６）に記載の装置。
（３１）  前記コンピューティングプラットフォームは、さらに、前記利用可能なグラントが前記制約値以下であると判断したことに応答して、完全なＳＤＵのみまたは１つのＳＤＵの最後のセグメントを統合するためのものである、（２６）に記載の装置。
（３２）  前記コンピューティングプラットフォームは、さらに、前記利用可能なグラントが少なくとも１つの完全なＳＤＵに適合する可能性がないと判断したことに応答して、最大許容パディング制約に関係なく、前記利用可能なグラントに従ってセグメント化を実行するためのものである、（２６）に記載の装置。
（３３）  前記コンピューティングプラットフォームは、さらに、データ無線ベアラとシグナリング無線ベアラとのうちの選択された一方に対してＲＬＣ  ＳＤＵセグメント化を実行し、他方には実行しないためのものである、（２６）に記載の装置。
（３４）  前記制約値は、ＲＬＣ  ＳＤＵのセグメント化部分に関係する、（２１）に記載の装置。
（３５）  前記制約値は、ＲＬＣ  ＳＤＵのセグメント化部分と最大パディング値とに関係する、（２１）に記載の装置。
（３６）  前記コンピューティングプラットフォームは、さらに、セグメント化またはパディングの長さを判断する前に下位レイヤヘッダオーバーヘッドを考慮するためのものである、（２１）に記載の装置。
（３７）  複数のパケットデータユニット（ＰＤＵ）を復号するための方法であって、
送信エンティティから１つのパケットデータユニット（ＰＤＵ）をワイヤレスに受信し、記憶することと、
送信エンティティの動作を予測することによって複数のサービスデータユニット（ＳＤＵ）のセグメント化とパディングとを限定的に復号することと、
を備え、
前記送信エンティティが、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、前記ＰＤＵを構築したことを知られる、方法。
（３８）  ネットワークから無線リソース制御シグナリングによって前記制約値をワイヤレスに送信することと、
指定されたプロビジョニングによって前記制約値を受信することと、
からなるグループのうちの選択された１つによって前記制約値を取得することをさらに備える、（３７）に記載の方法。
（３９）  前記残りの部分を前記制約値と比較することに基づいて、前記判断を随意に実施することをさらに備える、（３７）に記載の方法。
（４０）  無線リンク制御（ＲＬＣ）インスタンスのための利用可能なグラントを制約値と比較することが知られている前記送信エンティティの動作を予測することをさらに備える、（３７）に記載の方法。
（４１）  前記制約値は、ＲＬＣ  ＳＤＵのセグメント化部分に関係する、（３７）に記載の方法。
（４２）  前記制約値は、ＲＬＣ  ＳＤＵのセグメント化部分と最大パディング値とに関係する、（３７）に記載の方法。
（４３）  前記コンピューティングプラットフォームは、さらに、セグメント化またはパディングの長さを判断する前に下位レイヤヘッダオーバーヘッドを考慮するためのものである、（３７）に記載の装置。
（４４）  複数のパケットデータユニット（ＰＤＵ）を構築するためのコンピュータプログラム製品であって、
コンピュータに、送信エンティティから１つのパケットデータユニット（ＰＤＵ）をワイヤレスに受信し、記憶させるためのコードの第１のセットと、
前記コンピュータに、送信エンティティの動作を予測することによって複数のサービスデータユニット（ＳＤＵ）のセグメント化とパディングとを限定的に復号させるためのコードの第２のセットと、
を備える、コンピュータ可読記憶媒体、
を備え、
前記送信エンティティが、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、前記ＰＤＵを構築したことを知られる、
コンピュータプログラム製品。
（４５）  複数のパケットデータユニット（ＰＤＵ）を構築するための装置であって、
送信エンティティから１つのパケットデータユニット（ＰＤＵ）をワイヤレスに受信し、記憶するための手段と、
送信エンティティの動作を予測することによって複数のサービスデータユニット（ＳＤＵ）のセグメント化とパディングとを限定的に復号するための手段と、
を備え、
前記送信エンティティが、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、前記ＰＤＵを構築したことを知られる、装置。
（４６）  複数のパケットデータユニット（ＰＤＵ）を復号するための装置であって、
送信エンティティから１つのパケットデータユニット（ＰＤＵ）をワイヤレスに受信するための受信機と、
前記ＰＤＵを記憶するためのメモリと、
送信エンティティの動作を予測することによって複数のサービスデータユニット（ＳＤＵ）のセグメント化とパディングとを限定的に復号するためのコンピューティングプラットフォームと、
を備え、
前記送信エンティティが、
複数のサービスデータユニット（ＳＤＵ）を受信し、記憶することと、
構築されるべき１つのＰＤＵの長さ値と制約値とにアクセスすることと、
前記長さ値を超えることなしに、記憶された複数のＳＤＵを順番に統合することと、
前記ＰＤＵの残りの部分を前記制約値と比較することに基づいて、前記長さ値に達するように、最後のＳＤＵをセグメント化することと、前記ＰＤＵをパディングすることと、のうちの一方を実行することを判断することと、
によって、前記ＰＤＵを構築したことを知られる、装置。
（４７）  前記コンピューティングプラットフォームは、さらに、ネットワークから無線リソース制御シグナリングによって前記制約値をワイヤレスに送信するためのものである、（４６）に記載の装置。
（４８）  前記コンピューティングプラットフォームは、さらに、指定されたプロビジョニングによって前記制約値を受信するためのものである、（４６）に記載の装置。
（４９）  前記コンピューティングプラットフォームは、さらに、前記残りの部分を前記制約値と比較することに基づいて、前記判断を随意に実施するためのものである、（４６）に記載の装置。
（５０）  前記コンピューティングプラットフォームは、さらに、最大許容パディングと最小許容セグメント化とを示す少なくとも１つの制約値にアクセスするためのものである、（４６）に記載の装置。
【図１】
0005607229.tif 000002
【図２】
0005607229.tif 000003
【図３】
0005607229.tif 000004
【図４】
0005607229.tif 000005
【図５】
0005607229.tif 000006
【図６】
0005607229.tif 000007
【図７】
0005607229.tif 000008
【図８】
0005607229.tif 000009
【図９】
0005607229.tif 000010
【図１０】
0005607229.tif 000011
【図１１】
0005607229.tif 000012
【図１２】
0005607229.tif 000013
【図１３】
0005607229.tif 000014
【図１４】
0005607229.tif 000015